(57)【特許請求の範囲】
【請求項１】
上下方向に昇降自在な昇降式パネルが収納部からその上面板に形成された開口部を介して天板上に出没自在に設けられた昇降式パネルを備える机において、
前記机の後側辺部の収納部に、天板上に立設可能な複数のパネルがそれぞれ縦方向に分割されるように個々に昇降自在に設けられているとともに、前記パネルは、ヒンジ部で屈曲可能に連結された上部パネルと下部パネルとからなり、
前記下部パネルは、係止凹部の形成された係止片を備えるとともに、前記収納部内のガイドレールで案内されて上下方向に摺動自在に構成され、また一端が前記下部パネルに固着され、他端が巻取ローラに固着された巻バネとからなる定荷重バネ装置が設けられており、該定荷重バネ装置で前記パネルを上方に付勢しており、一方、収納部側には前記係止凹部に係止可能な係止杆が枢支され、かつ操作レバーで前記係止杆と前記係止凹部との係止と解除が可能となっており、前記パネルの上昇により前記ヒンジ部が前記上面板の上方に出現される所で前記係止杆と前記係止凹部との係止を行い、前記上部パネルを天板方向に屈曲させて前記天板上面の少なくとも一部に重合されるようになっていることを特徴とする昇降式パネルを備える机。
【発明の詳細な説明】
【０００１】
【発明の属する技術分野】
本発明は、机本体の側辺部に、昇降式パネルが天板上に出没自在に設けられた昇降式パネルを備える机に関する。
【０００２】
【従来の技術】
従来、机本体の側辺部に、昇降式パネルが天板上に出没自在に設けられた昇降式パネルを備える机としては、例えば実開昭６３−５２４３１号公報や実開昭６３−８５１３１号公報に開示されたもの等がある。
【０００３】
【発明が解決しようとする課題】
しかしながら、このような机におけるパネルにあっては、パネルが後側辺部全体に立設されるものであるため、例えば左右幅が長い机において机の後側辺部にパネルを立設しようとする場合、パネルの左右幅も長くなり、昇降装置を大型化しなければならず、コストがかかるとともに、その重量のためパネルの昇降操作が困難になるといった問題があった。
【０００４】
本発明はこのような問題点に着目してなされたもので、机が大型化されても机の後側辺部にパネルを簡単な操作で立設及び収納することが出来る昇降式パネルを備える机を提供することを目的とする。
【０００５】
【課題を解決するための手段】
上記課題を解決するために、本発明の昇降式パネルを備える机は、上下方向に昇降自在な昇降式パネルが収納部からその上面板に形成された開口部を介して天板上に出没自在に設けられた昇降式パネルを備える机において、
前記机の後側辺部の収納部に、天板上に立設可能な複数のパネルがそれぞれ縦方向に分割されるように個々に昇降自在に設けられているとともに、前記パネルは、ヒンジ部で屈曲可能に連結された上部パネルと下部パネルとからなり、
前記下部パネルは、係止凹部の形成された係止片を備えるとともに、前記収納部内のガイドレールで案内されて上下方向に摺動自在に構成され、また一端が前記下部パネルに固着され、他端が巻取ローラに固着された巻バネとからなる定荷重バネ装置が設けられており、該定荷重バネ装置で前記パネルを上方に付勢しており、一方、収納部側には前記係止凹部に係止可能な係止杆が枢支され、かつ操作レバーで前記係止杆と前記係止凹部との係止と解除が可能となっており、前記パネルの上昇により前記ヒンジ部が前記上面板の上方に出現される所で前記係止杆と前記係止凹部との係止を行い、前記上部パネルを天板方向に屈曲させて前記天板上面の少なくとも一部に重合されるようになっていることを特徴としている。
この特徴によれば、それぞれ別々に昇降自在に設けられた複数のパネルを上昇させることで、机の所定の後側辺部にパネルを立設出来るようになっているので、長寸の側辺部においてもパネルを大型化することなく、かつ後側辺部において必要な箇所にのみパネルを簡単な操作で立設することが出来る。
また、複数のうちいずれかのパネルを屈曲させて天板上に重合させることで、パネルの上面が他の作業用天板として利用可能となるので、使用者が他の作業スペースに移動したり、机の近傍に別途作業スペースを設けることなく、天板上にて他の作業を平行して同時に、もしくは一時的に効率よく行うことが可能となる。
【０００８】
【発明の実施の形態】
以下、本発明の実施例を図面に基づいて説明すると、まず図１には本発明の実施例としての昇降式パネルを備える机１が示されており、２は天板、３は天板２上面に固設された製図台、４、４は天板２を支持する脚体、５、５’は天板２上に出没自在に設けられたパネルをそれぞれ示している。なお、６は製図台３に設けられた平行定規である。
【０００９】
机１の後部には、図２、３に示されるように、机１の背板７、背板７前方の仕切板８、上面板９とからパネル５、５’の収納部Ｓが構成されており、パネル５、５’が収納可能になっている。本実施例におけるパネル５、５’は、上部パネル５ａ、５ａ’と下部パネル５ｂ、５ｂ’とに上下方向に分割されており、両パネル５ａ（５ａ’）、５ｂ（５ｂ’）とはダンパーヒンジ１０により連結され、上部パネル５ａ、５ａ’が前方に屈曲可能になっている。
【００１０】
下部パネル５ｂ、５ｂ’の背面側には背板７の左右側に上下方向に伸びる横断面略Ｃ字型のガイドレール１１内に上下方向に摺動自在に嵌合される横断面略Ｈ型のガイド部材１２（図４参照）が固着されており、パネル５、５’はこのガイドレール１１にガイドされた状態で、上面板９に形成された開口部１３を介して収納部Ｓ内と天板２上との間を昇降出来るようになっている。
【００１１】
パネル５、５’には、収納部Ｓ内における仕切板８の上部に固着された巻取ローラ１４と、一端が下部パネル５ｂ、５ｂ’の下端に固着され、他端が巻取ローラ１４に固着された巻バネ１５とからなる定荷重バネ装置１６がそれぞれ設けられており、巻取ローラ１４に巻き付こうとする力でパネル５、５’が上方に付勢されているので、使用者は小さな力でパネル５、５’を容易に上方に引き出すことが出来るとともに、パネル５、５’の急落下が防止されている。
【００１２】
下部パネル５ａ、５ａ’の外側端部には、図３、図５（ａ）、（ｂ）に示されるように先端に係止凹部１７が形成されたＬ字型の係止片１８が、係止凹部１７がパネル５、５’の前方に突出するように固着されている。なお、係止凹部１７の上下には、パネル５の前面Ｆから先端に突設された係止凹部１７に向かって傾斜するテーパ面１８ａが形成されている。
【００１３】
収納部Ｓ内上部左右側には、係止片１８の係止凹部１７に係止可能な係止杆１９、１９’がそれぞれ軸２０、２０’を介して枢支されている。この係止杆１９、１９’はパネル５、５’の前面Ｆ側に収納部Ｓの左右方向にわたって設けられ、係止片１８、１８’とともにパネルの保持手段を構成しており、また背板７に一端が固着されたバネ２１により常時後方、すなわちパネル５、５’の前面Ｆに向かって付勢されている。さらに、係止杆１９、１９’と軸２０、２０’との連設部からは、係止杆１９、１９’を軸２０、２０’を介して回動操作可能な操作レバー２３、２３’が上面板９に形成された長穴２２、２２’を介して上面板９の上方まで延設されており、この操作により係止杆１９、１９’と係止凹部１７との係止が解除されるようになっている。
【００１４】
よって図５（ｂ）に示されるように係止杆１９はパネル５の昇降に伴い上昇もしくは下降してくる係止片１８のテーパ面１８ａに押圧されて回動され、係止凹部１７内に自動的に嵌入され、パネル５が所定の位置にて適宜保持されるようになっている。また、操作レバー２３を図５（ｂ）中２点鎖線で示される位置に倒せば、係止凹部１７と係止杆１９との係止が解除されるので、パネル５が昇降自在になる。
【００１５】
また、上部パネル５ａ、５ａ’の前面Ｆの上端部には、図２に示されるように上部パネル５ａ、５ａ’が前方に屈曲された時に製図板３の上面３ａに当接され、上面３ａとパネル５ａの前面Ｆとの間に所定空間を形成すべく突出部材２４が固着されている。この突出部材２４はゴム素材等により構成されており、当接された時に生じる衝撃が緩和されるようになっている。
【００１６】
次に、このように構成された本発明の机１におけるパネル５の作用を図面に基づいて説明すると、パネル５、５’が収納部Ｓ内にある時、パネル５、５’の自重が定荷重バネ装置１６による上方への付勢力よりも若干大きいため、パネル５、５’は図３の右側のパネル５に示されるような状態で収納されている。なお、上部パネル５ａ、５ａ’の上端部の一部は上面板９上に突出されている。
【００１７】
ここでパネル５、５’を上昇させる場合、操作レバー２３を図５（ｂ）中２点鎖線で示す位置まで移動させると、係止片１８の係止凹部１７と係止杆１９との係止が解除され、パネル５、５’は昇降自在となる。この時パネル５、５’は定荷重バネ装置１６による上方への付勢作用により急速に下降することがなく、使用者は容易に上方へ引き出すことが出来る。
【００１８】
さらにパネル５、５’が図３中左側に示されるパネルの位置まで上昇されると、上部パネル５ａ、５ａ’と下部パネル５ｂ、５ｂ’との分割部が上面板９の上方に出現され、上部パネル５ａ、５ａ’が前方に屈曲可能な状態になる。そして上部パネル５ａ、５ａ’を図２中実線で示されるように前方に屈曲して突出部材２４が製図板３の上面３ａ上に当接されると、製図板３上が左右の上部パネル５ａ、５ａ’の後面Ｂによりそれぞれ覆われて、後面Ｂ上を他の目的に使用する天板として利用することが可能となる。
【００１９】
この時突出部材２４が所定長さを有していることにより、製図板３の上面３ａと上部パネル５ａ、５ａ’の前面Ｆとの間に空間が構成されるので、製図板３の上面３ａ上の物品、例えば平行定規や書類、図面、鉛筆等が押し潰されることなく、作業途中で製図板３の上面３ａを一旦整理することなく、他の作業を後面Ｂ上で行うことが可能となる。また、製図板３での作業に戻るときは、パネル５を立設させ、操作レバー２３、２３’を介してパネル５、５’を下降させればよい。
【００２０】
また、この時下部パネル５ｂ、５ｂ’は最下部の係止片１８の係止凹部１７に係止杆１９が嵌入されて係止状態にあるため、上部パネル５ａ、５ａ’の屈曲操作中において下部パネル５ｂ、５ｂ’が落下することがなく、また、ダンパーヒンジ１０により上部パネル５ａ、５ａ’の急激な屈曲が防止されているので、確実に、かつ安全に上部パネル５ａ、５ａ’を屈曲させることが出来る。
【００２１】
よって本実施例においては、通常時においてパネル５、５’は邪魔にならないように天板２下面の収納部Ｓ内に収納しておくことが可能であるとともに、必要に応じて所望のいずれか一方のパネル５（５’）を上昇させ、前方に屈曲させることで、製図板３の上面３ａ上に上部パネル５ａ（５ａ’）を敷設し、敷設された上部パネル５ａ（５ａ’）上面（後面Ｂ）を利用することが出来る。よって適宜作業中において、天板を必要とするような別の作業を一時的に行いたいような場合、使用者が他の場所へ移動することなく、また机の近傍位置のスペースを利用して他の机等を配設することなく、狭いスペース内において、複数の作業を効率よく行うことが出来る。
【００２２】
そしてパネル５、５’が左右側にそれぞれ別途に移動可能に設けられているので、図６に示されるように、一方の上部パネル５ａ’のみを屈曲させ、他方のパネル５を収納状態（あるいはその逆）にすることが可能であるため、省スペース内において種々の作業を同時に行うことも可能となる。また、パネルが分割されることでパネル操作が容易になり、パネルを一時的に効率よく利用することが可能となる。
【００２３】
さらに突出部材２４により点支持されて製図板３とパネル５との間に所定空間が形成されるので、製図板３上の書類等を逐次片づけることなく、そのままの状態で瞬時にパネル５を利用することが出来る。
【００２４】
また、係止杆１９がバネ２１により係止片１８方向に付勢され、この係止片１８にテーパ面１８ａが形成されていることで、パネル５を昇降させるだけで係止杆１９と係止凹部１７とが自動的に係止されるので、安全であるとともに、上面板９上に設けられた操作レバー２３を操作するだけで簡単に係止解除出来るので、パネル５、５’を確実にかつ迅速に昇降・停止自在とすることが出来る。
【００２５】
なお、特に図示しないが、係止片１８を上部パネル５ａ、５ａ’に複数設ければ、パネル５、５’を天板２の後側辺部に立設した状態で保持することも可能となり、いずれかのパネルを必要に応じて目隠しパネルとして利用したり、前面Ｆを書類等をピンナップするピンナップボードとして利用することも出来るとともに、各パネルの高さ位置を変化させれば、パネルの吊持物や展示物を所望のレイアウトに変更できる。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
例えば、本実施例における２枚のパネル５、５’は机の後側辺部の左右側にそれぞれ設けられていたが、２枚以上のパネルにより構成されていてもよく、それぞれのパネルの長さ、形状等が種々に異なるパネルであってもよい。
【００３２】
【図面の簡単な説明】
【図１】本発明の実施例としての昇降式パネルを備える机の使用状態を示す斜視図である。
【図２】図１の机の一部破断側面図である。
【図３】図２のＡ−Ａ断面図である。
【図４】パネルのガイドレールの構造を示す斜視図である。
【図５】（ａ）はパネルを上昇させている状態の係止装置の作用を示す要部斜視図であり、（ｂ）は（ａ）の状態からパネルを屈曲させる時の係止装置の作用を示す要部斜視図である。
【図６】本発明の他の実施例を示す斜視図である。
【符号の説明】
１            机
２            天板
３            製図板
３ａ          上面
４            脚体
５、５’      パネル
５ａ、５ａ’  上部パネル
５ｂ、５ｂ’  下部パネル
６            製図板
６ａ          上面
７            背板
８            仕切板
９            上面板
１０            ダンパーヒンジ
１１            スライドレール
１２            ガイド部
１３            開口部
１４            巻取ローラ
１５            巻バネ
１６            定荷重バネ装置
１７            係止凹部（保持手段）
１８            係止片
１８ａ          テーパ面
１９、１９’    係止杆（保持手段）
２０、２０’    軸
２１            バネ
２２、２２’    長穴
２３、２３’    操作レバー
２４、２４’    突出部材
Ｂ              後面
Ｆ              前面
Ｓ              収納部
【図１】
0004049898.tif 000002
【図２】
0004049898.tif 000003
【図３】
0004049898.tif 000004
【図４】
0004049898.tif 000005
【図５】
0004049898.tif 000006
【図６】
0004049898.tif 000007